(57)【要約】【課題】水素化シラン化合物と接触した水素化シラン化合物用装置を高効率にかつ高度に清浄化する洗浄方法方法を提供する。【解決手段】下記式（１）  （ＳｉＨ2）n  …（１）（式（１）中、ｎは３〜６である。）および／または下記式（２）  ＳｉmＨ2m+2  …（２）（式（２）中、ｍは３〜６である。）で表される水素化シラン化合物が接触した装置を、非プロトン性溶媒で洗浄する第１洗浄工程、アルカリ性化合物のアルコール溶液で洗浄する第２洗浄工程、および２５℃における電気伝導率が１μＳ／ｃｍ以下の水で洗浄する第３洗浄工程を含むことを特徴とする水素化シラン化合物用装置の洗浄方法である。【選択図】なし【特許請求の範囲】
【請求項１】
下記式（１）
（ＳｉＨ2）n  …（１）
（式（１）中、ｎは３〜６である。）
および／または下記式（２）
ＳｉmＨ2m+2  …（２）
（式（２）中、ｍは３〜６である。）
で表される水素化シラン化合物が接触した装置を、
非プロトン性溶媒で洗浄する第１洗浄工程、
アルカリ性化合物のアルコール溶液で洗浄する第２洗浄工程、および
２５℃における電気伝導率が１μＳ／ｃｍ以下の水で洗浄する第３洗浄工程を含むことを特徴とする水素化シラン化合物用装置の洗浄方法。
【請求項２】
上記アルカリ性化合物が、アルカリ金属またはアルカリ土類金属の水酸化物、酢酸塩、リン酸塩、ホウ酸塩および炭酸塩よりなる群から選択される少なくとも１種の化合物である請求項１に記載の洗浄方法。
【請求項３】
上記アルコールの炭素数が１〜１２である請求項１または２に記載の洗浄方法。
【請求項４】
第３洗浄工程後に乾燥工程を行う請求項１〜３のいずれかに記載の洗浄方法。
【請求項５】
請求項１〜４のいずれかに記載の洗浄方法により洗浄されたことを特徴とする水素化シラン化合物用装置。
【請求項６】
上記水素化シラン化合物の保管用容器である請求項５に記載の水素化シラン化合物用装置。
【請求項７】
水素化シラン化合物用装置に２５℃における電気伝導率が１μＳ／ｃｍ以下の水を充填し、２５℃で１時間放置した場合に、水中のハロゲンイオンの増加量が１００質量ｐｐｂ以下、金属元素の増加量が５０質量ｐｐｂ以下、粒径０．５μｍ以上の粒子の増加量が１００個／ｍＬ以下である請求項５または６に記載の水素化シラン化合物用装置。
【請求項８】
水素化シラン化合物用装置に水素化シラン化合物を入れ、窒素雰囲気下密封した後、２５℃で３０日保管した場合の水素化シラン化合物の純度低下が０．５質量％以下である請求項５〜７のいずれかに記載の水素化シラン化合物用装置。
【発明の詳細な説明】
【技術分野】
【０００１】
本発明は、水素化シラン化合物の洗浄方法に関するものである。
【背景技術】
【０００２】
太陽電池、半導体等の用途に薄膜シリコンが用いられており、この薄膜シリコンは、従来、モノシランを原料とする気相成長製膜法（ＣＶＤ法）によって作製されている。近年、ＣＶＤ法に代わって、環状水素化シランを用いた新たな製法が注目されている。この製法は、水素化ポリシラン溶液を基材に塗布、焼成する塗布製膜法（液体プロセス）であり、前記水素化ポリシラン溶液の調製原料としてシクロペンタシランが使用されている。シクロペンタシランは市販されており、ＵＶ照射によって水素化ポリシランとなることが報告されている。しかしながら、シクロペンタシランは、その製造に高価な禁水試薬を用いる多段階合成や精製工程が必要であるため、非常に高価である。
【０００３】
そこで本発明者らは、シクロペンタシランの代替材料としてシクロヘキサシランに着目した。シクロヘキサシランは、ジフェニルジクロロシランを原料に用いて、環化、ハロゲン化、還元工程を経る合成法（非特許文献１）や、トリクロロシランとＮ，Ｎ，Ｎ，Ｎ”，Ｎ”−ペンタエチルジエチレントリアミン（ペデタ（ｐｅｄｅｔａ））等の第三級ポリアミンとからテトラデカクロロシクロヘキサシランジアニオンの塩を調製し、該テトラデカクロロシクロヘキサシランジアニオンの塩に金属水素化物還元剤を接触させて還元する方法で製造できることが報告されている（特許文献１）。
【先行技術文献】
【特許文献】
【０００４】
【特許文献１】特許第４５１９９５５号公報
【非特許文献】
【０００５】
【非特許文献１】Angew. Chem. Int. Ed. Engl., 1977, 16, 403.
【発明の概要】
【発明が解決しようとする課題】
【０００６】
シクロヘキサシランを始めとする高次の水素化シラン化合物の有用性を考慮すれば、今後、需要が増し、大量生産されることが予想される。
【０００７】
また、水素化シラン化合物の半導体分野への適用を考慮すると、不純物の混入は可能な限り避けなければならないところ、水素化シラン化合物の合成や保存のために用いられる装置の洗浄方法は、これまで検討されたことがない。水素化シラン化合物は、酸素や水と反応してシロキサン系化合物を生成するが、これが水素化シラン化合物用装置に固着して汚れとして残存し、次に合成や保存を行うときの不純物となったり、水素化シラン化合物の純度低下を引き起こすおそれがある。
【０００８】
本発明は上記の様な事情に着目してなされたものであって、水素化シラン化合物用装置を効率よく安全に洗浄する方法を見出すと共に、高度に清浄化された水素化シラン化合物用装置を提供することを課題として掲げた。
【課題を解決するための手段】
【０００９】
上記課題を解決することのできた本発明は、
下記式（１）
（ＳｉＨ2）n  …（１）
（式（１）中、ｎは３〜６である。）
および／または下記式（２）
ＳｉmＨ2m+2  …（２）
（式（２）中、ｍは３〜６である。）
で表される水素化シラン化合物が接触した装置を、
非プロトン性溶媒で洗浄する第１洗浄工程、
アルカリ性化合物のアルコール溶液で洗浄する第２洗浄工程、および
２５℃における電気伝導率が１μＳ／ｃｍ以下の水で洗浄する第３洗浄工程を含むことを特徴とする水素化シラン化合物用装置の洗浄方法である。
【００１０】
アルカリ性化合物が、アルカリ金属またはアルカリ土類金属の水酸化物、酢酸塩、リン酸塩、ホウ酸塩および炭酸塩よりなる群から選択される少なくとも１種の化合物である態様、アルコールの炭素数が１〜１２である態様、第３洗浄工程後に乾燥工程を行う態様は、いずれも本発明の洗浄方法の好適な実施態様である。
【００１１】
本発明には、本発明の洗浄方法により洗浄されたことを特徴とする水素化シラン化合物用装置も含まれ、この装置は水素化シラン化合物の保管用容器であることが好ましい。
【００１２】
本発明の水素化シラン化合物用装置は、この装置に２５℃における電気伝導率が１μＳ／ｃｍ以下の水を充填し、２５℃で１時間放置した場合に、水中のハロゲンイオンの増加量が１００質量ｐｐｂ以下、金属元素の増加量が５０質量ｐｐｂ以下、粒径０．５μｍ以上の粒子の増加量が１００個／ｍＬ以下であることが好ましく、また、水素化シラン化合物用装置に水素化シラン化合物を入れ、窒素雰囲気下密封した後、２５℃で３０日保管した場合の水素化シラン化合物の純度低下が０．５質量％以下であることも好ましい。
【発明の効果】
【００１３】
本発明によれば、水素化シラン化合物用装置を効率よく安全に洗浄することができるようになった。また、洗浄後の水素化シラン化合物用装置は、不純物の発生が抑制され、水素化シラン化合物の純度を低下させることのない高度に清浄化された装置となった。
【発明を実施するための形態】
【００１４】
本発明の洗浄方法で扱われる装置は、水素化シラン化合物と接触する装置である。本発明でいう水素化シラン化合物とは、下記式（１）
（ＳｉＨ2）n  …（１）
（式（１）中、ｎは３〜６である。）
および／または下記式（２）
ＳｉmＨ2m+2  …（２）
（式（２）中、ｍは３〜６である。）
で表される化合物である。
【００１５】
式（１）で表される環状シラン化合物としては、シクロトリシラン、シクロテトラシラン、シクロペンタシラン、シリルシクロペンタシラン、シクロヘキサシラン等が挙げられ、式（２）で表される鎖状シラン化合物としては、トリシラン、テトラシラン、イソテトラシラン、ペンタシラン、ネオペンタシラン、イソペンタシラン、ヘキサシラン等が挙げられる。
【００１６】
上記水素化シラン化合物は、酸素や水と反応し、シロキサン化合物を生成してしまう。また、環状シラン化合物は熱や光によって開環重合反応を起こし、水素化シラン系ポリマーを生成してしまう。このような不純物を効率よく装置から除去するために、本発明では３つの洗浄工程を行う。なお、本発明でいう水素化シラン化合物用装置とは、水素化シラン化合物の合成、精製、保管（保存）等の工業的な一連の全ての工程において、水素化シラン化合物と接触しうる全ての装置を意味する。従って、水素化シラン化合物用装置には、例えば、合成装置、蒸留精製装置、濾過装置、貯蔵容器、保管容器、これらを連結する配管等が含まれる。これらの装置や配管等は、通常、ステンレス鋼で製造されるが、ハステロイ（登録商標）、ＭＭＣスーパーアロイ社製のＭＡＴシリーズ、ＭＡシリーズ等の耐食合金により形成されていてもよい。保管容器や配管の内部の耐食性を向上させるため、金属材料からなる容器や配管の内部が、フッ素系樹脂等の樹脂材料によりコーティングされたものであってもよい。
【００１７】
［第１洗浄工程］
第１洗浄工程では、非プロトン性溶媒を用いて装置を洗浄する。装置に付着している水素化シラン化合物が非プロトン性溶媒に溶解して、洗い流される。また、装置に残存しているシロキサン化合物や水素化シランポリマーは非プロトン性溶媒には溶解しないが、この第１洗浄工程で、物理的に洗い流すことができる。使用できる非プロトン性溶媒としては、トルエンやキシレン、ベンゼン等の芳香族炭化水素類；ヘキサンやオクタン等の脂肪族炭化水素類、シクロヘキサン、メチルシクロヘキサン等の飽和環状炭化水素類；酢酸エチル、酢酸ブチル、プロピオン酸ブチル等のエステル類；ジエチルエーテル、ジイソプロピルエーテル、メチルターシャリーブチルエーテル、シクロペンチルメチルエーテル、テトラヒドロフラン、１，４−ジオキサン等の鎖状および環状エーテル類等が使用できる。これらは単独で、あるいは２種以上を混合して用いることができる。
【００１８】
洗浄方法は、特に限定されず、化合物の合成や保存に用いられる装置についての公知の洗浄方法を適宜採用できる。例えば、合成装置であれば、反応生成物を次工程へ送った後、回収ラインを付け、反応容器に非プロトン性溶媒を充填した後、回収ラインから非プロトン性溶媒を回収する方法等がある。また、装置をばらしてから、非プロトン性溶媒をかけ洗い、浸漬、拭き洗い等を施すこともできる。かけ洗いの際には、エアーと共に非プロトン性溶媒を吹き付けて洗浄効果を高めてもよく、装置に溶媒を充填した際や装置を溶媒に浸漬した際に、超音波振動を印加してもよい。異なる洗浄方法を組み合わせて行うことも可能である。
【００１９】
洗浄時の雰囲気は、洗浄作業中に自然発火性のシランガスが発生したときの発火の危険を防ぐため、酸素濃度を低減させた環境とすることが好ましい。このような環境であれば、特に限定されないが、例えば、洗浄面に接する雰囲気を、酸素濃度０．１体積％以下の窒素雰囲気として洗浄を行うことが好ましい。
【００２０】
洗浄回数は特に限定されず、１回でもよいが、充分な洗浄効果を得るためには、好ましくは２〜５０回程度である。洗浄温度も特に限定されず、０〜７０℃が好ましく、より好ましくは０〜５０℃であり、さらに好ましくは１０〜３０℃である。洗浄の際に用いる非プロトン性溶媒の量は、被洗浄面積当たりの使用量として、０．１〜１０．０Ｌ／ｍ2程度が好ましく、より好ましくは０．２〜５．０Ｌ／ｍ2程度、さらに好ましくは０．２〜２．０Ｌ／ｍ2程度である。
【００２１】
［第２洗浄工程］
第２洗浄工程では、アルカリ性化合物のアルコール溶液を用いて、第１洗浄工程で洗浄された装置を洗浄する。この工程は、第１洗浄工程で除去できなかった水素化シラン化合物を安全なシロキサン化合物へと変性させると共に、このシロキサン化合物はアルカリに溶解するため、この工程で除去が可能である。
【００２２】
アルカリ性化合物としては、アルカリ金属の水酸化物、酢酸塩、リン酸塩、ホウ酸塩および炭酸塩、ならびに、アルカリ土類金属の水酸化物、酢酸塩、リン酸塩、ホウ酸塩および炭酸塩よりなる群から選択される１種以上が好ましい。中でも、洗浄効果や変性効果の点で、アルカリ金属化合物が好ましく、より好ましくはアルカリ金属の水酸化物であり、最も好ましくはＫＯＨである。
【００２３】
アルコールとしては特に限定されず、脂肪族アルコール、脂環式アルコール、芳香族アルコールいずれであってもよく、モノアルコールでも多価アルコールでもよい。中でも、炭素数が１〜１２の脂肪族のモノアルコールが好ましく、メタノール、エタノール、プロパノール、イソプロパノール、ｎ−ブタノール、イソブタノール、ｓｅｃ−ブタノール、ｔ−ブタノール、１−ペンタノール、２−ペンタノール、３−ペンタノール、シクロペンタノール、１−ヘキサノール、２−ヘキサノール、３−ヘキサノール、１−ヘプタノール、２−ヘプタノール、３−ヘプタノール、１−オクタノール、イソオクタノール、２−エチルヘキサノール、イソノニルアルコール、ラウリルアルコール等が挙げられる。これらのアルコールはアルキル基等の置換基を有していてもよい。これらは単独で用いても、２種以上を混合して用いてもよい。
【００２４】
第２洗浄工程で用いられるアルカリ性化合物のアルコール溶液中、アルカリ性化合物の量は、アルコール１００質量部に対し、１〜５０質量部が好ましい。１質量部より少ないと、洗浄効果や変性効果が充分に発現せず、５０質量部よりも多いと、変性反応の進行が速すぎて制御できなくなるおそれがある。
【００２５】
またアルカリ性化合物のアルコール溶液中には水が含まれていてもよい。水を加えることで、アルカリ性化合物のアルコールへの溶解性を高める効果がある。水はアルコール１００質量部に対し、１〜７０質量部が好ましい。１質量部以上であれば、アルカリ性化合物の溶解性が向上する傾向にある。しかし７０質量部よりも多くなると、シロキサン化合物がアルカリ性化合物のアルコール溶液に溶けにくくなるおそれがある。
【００２６】
洗浄方法、洗浄時の雰囲気、洗浄回数、洗浄温度、洗浄液の使用量等は、第１洗浄工程と同様である。
【００２７】
［第３洗浄工程］
第３洗浄工程は、第１洗浄工程および第２洗浄工程後に行われ、装置内に残存した不純物や微粒子を除去する工程である。また、第２洗浄工程で用いたアルカリ性化合物のアルコール溶液も洗い流される。
【００２８】
第３洗浄工程での洗浄液は、２５℃における電気伝導率が１μＳ／ｃｍ以下の水である。この電気伝導率は０．５μＳ／ｃｍ以下であることが好ましく、０．１μＳ／ｃｍ以下であることがより好ましく、０．０６μＳ／ｃｍ以下であることがさらに好ましい。この電気伝導率の下限は低いほど好ましいが、入手の困難性等を考慮すれば、０．０５６μＳ／ｃｍ程度以上で充分である。なお、電気伝導率は、例えば、市販の電気伝導率計で測定できるが、超純水製造装置に電気伝導率計が備えられていれば、その値で確認することができる。
【００２９】
洗浄方法、洗浄回数、洗浄温度、洗浄液の使用量等は、第１洗浄工程と同様である。第３洗浄工程は、クラス１０００レベルのクリーンルーム内で行うとよい。
【００３０】
［乾燥工程］
第３洗浄工程後、水素化シラン化合物用装置を乾燥する乾燥工程を行ってもよい。乾燥工程は、乾燥機を用いたり、ケミカルクリーンレベルの不活性ガス（例えば、窒素等）を噴射することにより、行える。
【００３１】
［水素化シラン化合物用装置］
本発明には、本発明の洗浄方法で洗浄された水素化シラン化合物用装置も包含されるが、本発明の水素化シラン化合物用装置は高度に清浄化されているので、精製後の高純度な水素化シラン化合物を保管するための容器として用いることが好ましい。この保管用容器（保管用容器には限定されず、水を溜められる水素化シラン化合物用装置なら何でもよい）は、第３洗浄工程で洗浄液として用いる２５℃における電気伝導率が１μＳ／ｃｍ以下の水を入れ、２５℃で１時間放置しても、水中のハロゲンイオンの増加量が１００質量ｐｐｂ以下、金属元素（例えば、ナトリウム、カルシウム、アルミニウム、ニッケル、クロム、亜鉛、カリウム等）の増加量が５０質量ｐｐｂ以下、粒径０．５μｍ以上の粒子の増加量が１００個／ｍＬ以下であるという特性を有する。すなわち、容器に入れる前の水が、容器に入れた後でもほとんど汚染されないということである。ハロゲンイオンの増加量は５０質量ｐｐｂ以下であることが好ましく、３０質量ｐｐｂ以下であることがより好ましい。また、金属元素の増加量は３０質量ｐｐｂ以下であることが好ましく、１０質量ｐｐｂ以下であることがより好ましい。そして、粒径０．５μｍ以上の粒子の増加量は５０個／ｍＬ以下であることが好ましく、１０個／ｍＬ以下であることがより好ましい。なお、ハロゲンイオン、金属元素の定量方法と、粒径０．５μｍ以上の粒子数の測定方法は、実施例で後述する。
【００３２】
本発明の水素化シラン化合物用装置は、上述のとおり、高度に清浄化されているので、水素化シラン化合物を保管しても、水素化シラン化合物が不純物によって悪影響を受け、その純度が大きく低下してしまうことはない。例えば、水素化シラン化合物用装置のうち、保管用容器内を窒素雰囲気とした後、水素化シラン化合物を入れて密封し、２５℃で３０日間放置しても、純度低下は０．５質量％以下である。なお、窒素雰囲気中の酸素濃度は１ｐｐｍ以下（体積基準）、露点は−７０℃以下としておくことが好ましい。酸素や水分の存在は純度低下に繋がるからである。
【実施例】
【００３３】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００３４】
［粒径０．５μｍ以上の粒子の含有量］
レーザー光散乱を利用したパーティクルカウンター（パーティクル  メジャリング  システムズ（ＰＭＳ）社製；「ＡＺ−ＳＯ２／ＬＳ−２００」）により、粒径０．５μｍ以上の粒子の個数を測定した。
【００３５】
［ハロゲンイオンの定量］
イオンクロマトグラフィ（日本ダイオネクス社製；「ＩＳＣ−３０００」）を用いた。
【００３６】
［金属元素の定量］
ＩＣＰ−ＭＳ（高周波発光質量分析器；Ａｇｉｌｅｎｔ  Ｔｅｃｈｎｏｌｏｇｉｅｓ社製；「Ａｇｉｌｅｎｔ７７００」）を用いて、金属元素の定量を行った。
【００３７】
［シクロヘキサシラン（ＣＨＳ）の純度］
窒素雰囲気下のグローブボックス内でＣＨＳを超脱水ヘキサンで２質量％に希釈し、バイヤル瓶にこの溶液を入れ密封した後、ガスクロマトグラフィ（島津製作所社製：「ＧＣ２０１４」）で下記条件で純度を測定した。
キャリアガス：Ｎ2
キャピラリーカラム：Ａｇｉｌｅｎｔ  Ｊ＆Ｗ社製；「ＤＢ−１ＭＳ」
試料注入温度：３００℃
検出器温度：３００℃
試料注入量：１μＬ
カラム温度：５０〜３００℃
【００３８】
実施例１
非特許文献１（Angew. Chem. Int. Ed. Engl., 1977, 16, 403.）に記載の方法で合成したシクロヘキサシラン（ＣＨＳ）を蒸留して、純度９７．０質量％の精製ＣＨＳを得た。ＣＨＳ用保管容器として、ＳＵＳ３１６Ｌ製の１００ｍＬの容器を準備した。窒素雰囲気下のグローブボックス内で、保管容器にＣＨＳを満たし、２４時間放置した後、容器からＣＨＳを取り出し、容器を乾燥させた。
【００３９】
ヘキサンを用意し、酸素濃度０．１体積％以下の窒素雰囲気下の簡易グローブボックスにおいて、保管容器をかけ洗いして、第１洗浄工程を行った。かけ洗いは３０ｍＬずつ３回行った。
【００４０】
イソプロパノール８０質量％、水１５質量％、水酸化カリウム５質量％の組成の洗浄液を用意し、酸素濃度０．１体積％以下の簡易グローブボックスにおいて、第１洗浄工程後の保管容器に対し、前記洗浄液でかけ洗いを行った。かけ洗いは、３０ｍＬずつ５回行い、その後、洗浄液を保管容器に充填して、１時間浸漬洗浄した（第２洗浄工程）。１時間後、洗浄液は廃棄した。
【００４１】
超純水製造装置（日本ミリポア社製；「Ｍｉｌｌｉ−Ｑ  Ｅｌｅｍｅｎｔ  Ａ−１０」を用いて、第３洗浄工程用の水を調製した。得られた水（超純水）の電気伝導率は、装置に内蔵された電気伝導率計によれば、２５℃で０．０５５μＳ／ｃｍであった。また、粒径０．５μｍ以上の粒子の含量は、２個／ｍＬであった。第２洗浄工程で洗浄されたＣＨＳ用保管容器を、クラス１０００のクリーンルーム内において、上記超純水でかけ洗いにより洗浄した。かけ洗いは、３０ｍＬずつ１０回行った。
その後、クラス１００のクリーンオーブン中で６０℃で２４時間乾燥を行った。
【００４２】
第３洗浄工程および乾燥工程を終えた保管容器に、超純水を充填し、密封後、１時間放置した。充填前の超純水に比べ、ハロゲンイオンの増加量は２４質量ｐｐｂ、金属元素の増加量は８ｐｐｂ、粒径０．５μｍ以上の粒子の増加量は３個／ｍＬであった。
【００４３】
実施例２
酸素濃度１ｐｐｍ以下（体積基準）、露点−７０℃以下に調整された窒素雰囲気のグローブボックス内で純度９７質量％のＣＨＳを乾燥後の清浄化された容器に充填し、３０日後の純度を測定した。純度低下は０．１質量％以下であった。
【００４４】
比較例１
実施例１において、第２洗浄工程でＫＯＨを用いなかった以外は、実施例１と同様にして洗浄試験評価を行った。洗浄後の容器に超純水を充填して１時間放置した後のハロゲンイオンの増加量は７３０質量ｐｐｂであり、金属元素の含量の増加量は１２００質量ｐｐｂであり、粒径０．５μｍの粒子の増加量は５００個／ｍＬであった。また、容器内を目視で確認したところ、白色の固形物が付着しており、明らかに洗浄不足であった。
【００４５】
比較例２
実施例１において、第２洗浄工程の洗浄液を、水９０質量％とＫＯＨ１０質量％の洗浄液とした以外は、実施例１と同様にして洗浄試験評価を行った。洗浄後の容器に超純水を充填して１時間放置した後のハロゲンイオンの増加量は８０質量ｐｐｂであり、金属元素の含量の増加量は６０質量ｐｐｂであり、粒径０．５μｍの粒子の増加量は３００個／ｍＬであった。
【００４６】
また、第２洗浄工程の洗浄液を、水９０質量％とＫＯＨ１０質量％の洗浄液とした以外は、実施例１と同様にして洗浄を行った。洗浄後の容器に、実施例２と同様にして、酸素濃度１ｐｐｍ以下（体積基準）、露点−７０℃以下に調整されたグローブボックス内で純度９７質量％のＣＨＳを充填し、３０日経過後の純度を測定したところ、１．３質量％の純度低下が見られた。
【産業上の利用可能性】
【００４７】
本発明法は、水素化シラン化合物を合成したり保管した後の水素化シラン化合物用装置を高効率にかつ高度に清浄化できるため、次回、水素化シラン化合物を合成したり保管する場合に不純物や微粒子の混入や発生を抑制できるようになった。本発明法で高度に清浄化された装置を用いて合成される、あるいは保管される水素化シラン化合物は、太陽電池や半導体等の用途におけるシリコン原料として好適に利用される。